(57)【要約】【課題】ジオシンセティックスからなる補強シートのシート端部をシート被固定端側に確実に接続するジオシンセティックス接続治具、および、このジオシンセティックス接続治具を用いて地山際に造成した盛土の変形や円弧すべりを抑制する地山際の盛土補強構造を提供すること。【解決手段】ジオシンセティックスからなる補強シートＲＳのシート端部ＲＳｅを折返した状態で保持するシート保持手段１１０と補強シートＲＳのシート被固定端側へシート保持手段１１０を取付ける取付アタッチメント手段１６０とを備え、シート保持手段１１０が、シート端部ＲＳｅに対面する一対の板状部材１２０とこの一対の板状部材１１０を相互に挟圧支持する挟持部材１４０と一対の板状部材１２０の相互間に挟入したシート端部ＲＳｅを抜け止め固定するストッパー部材１５０とで構成されているジオシンセティックス接続治具１００およびこれを用いた地山際の盛土補強構造Ｅ。【選択図】図５
2018017079.tif 000002
【特許請求の範囲】
【請求項１】
ジオシンセティックスからなる補強シートのシート端部を折返した状態で保持するシート保持手段と該シート保持手段に連結して補強シートのシート被固定端側へシート保持手段を取付ける取付アタッチメント手段とを備えて、前記補強シートのシート端部をシート被固定端側に接続するジオシンセティックス接続治具であって、
前記シート保持手段が、前記補強シートのシート端部に対面する一対の板状部材と該一対の板状部材を相互に挟圧支持する挟持部材と前記一対の板状部材の相互間に挟入したシート端部を抜け止め固定するストッパー部材とで構成されていることを特徴とするジオシンセティックス接続治具。
【請求項２】
前記一対の板状部材が、前記補強シートのシート端部に弾性パッド部材を介して補強シートのシート端部に対面することを特徴とする請求項１記載のジオシンセティックス接続治具。
【請求項３】
前記一対の板状部材が、前記補強シートのシート端部に向けて拡開してシート端部を受け入れるシート受入側部位と前記補強シートの折返し側に向けて拡開してシート端部を折返すシート折返し部位と前記シート受入側部位とシート折返し部位との間に介在して補強シートのシート端部に対面するシート対面部位と前記取付アタッチメント手段に連結するアッタチメント連結部位とで構成されていることを特徴とする請求項１または請求項２記載のジオシンセティックス接続治具。
【請求項４】
前記ストッパー部材が、前記補強シートのシート端部を折返す円弧状シート面を備えていることを特徴とする請求項１乃至請求項３のいずれか１つに記載のジオシンセティックス接続治具。
【請求項５】
前記ストッパー部材が、前記円弧状シート面に連続形成して前記板状部材のシート折返し部位にシート端部を押圧するクサビ状押圧面を備えていることを特徴とする請求項４記載のジオシンセティックス接続治具。
【請求項６】
前記ジオシンセティックスが、長繊維束からなることを特徴とする請求項１乃至請求項５のいずれか１つに記載のジオシンセティックス接続治具。
【請求項７】
請求項１乃至請求項６のいずれ１つに記載のジオシンセティックス接続治具に接続されたジオシンセティックスからなる補強シートが、地山際の傾斜面に造成した盛土の内部に敷設されていること特徴とする地山際の盛土補強構造。
【請求項８】
前記盛土が、前記地山際に複数回の盛土材捲き出し締固めした締固め層を順次積層して構成され、
前記補強シートが、前記複数の締固め層の少なくとも一つの内部に敷設されていることを特徴とする請求項７記載の地山際の盛土補強構造。
【請求項９】
前記取付アタッチメント手段が、前記補強シートのシート被固定端側となる地山際の傾斜面に対してアンカーボルトを介して固定されていることを特徴とする請求項７または請求項８に記載された地山際の盛土補強構造。
【請求項１０】
前記アンカーボルトが、前記傾斜面の奥行き方向及び必要に応じて高さ方向に複数設置され、
前記取付アタッチメント手段を固定する被固定対象物が、前記アンカーボルトの頭部に架設される梁部材であることを特徴とする請求項９に記載された地山際の盛土補強構造。
【発明の詳細な説明】
【技術分野】
【０００１】
本発明は、ジオシンセティックスからなる補強シートのシート端部をシート被固定端側に接続するジオシンセティックス接続治具、および、このジオシンセティックス接続治具を用いた地山際の盛土補強構造に関する。
【背景技術】
【０００２】
従来、地山際に盛土を造成する際に、地盤が軟弱な場合はその造成する盛土の地山際において円弧状のすべり等の崩壊が起き易く、これを解決する地山際の盛土補強構造として、ジオシンセティックス対策工が検討されるが、ジオシンセティックスによる補強効果の発現に必要な敷設長を地山の遮りによって確保できない場合が多いため、軟弱な地盤をセメント材等で固化して改良する軟弱地盤改良工法を施す盛土補強構造が採用されている（例えば、特許文献１参照。）。
【先行技術文献】
【特許文献】
【０００３】
【特許文献１】特開平２０１５-１４８０７６号公報
【発明の概要】
【発明が解決しようとする課題】
【０００４】
上述した従来のような地山際の盛土補強構造に軟弱地盤改良工法を施すには、専用機械が必要であるため、多大な施工労力と専門技術とを強いられるとともに、軟弱な地盤を固化するための事業費が高価になるという問題があった。
【０００５】
そこで、本発明は、前述したような従来技術の問題を解決するものであって、すなわち、本発明の目的は、ジオシンセティックスからなる補強シートのシート端部をシート被固定端側に確実に接続するジオシンセティックス接続治具、および、このジオシンセティックス接続治具を用いて地山際に造成した盛土の変形や円弧すべりを抑制する地山際の盛土補強構造を提供することである。
【課題を解決するための手段】
【０００６】
本請求項１に係る発明は、ジオシンセティックスからなる補強シートのシート端部を折返した状態で保持するシート保持手段と該シート保持手段に連結して補強シートのシート被固定端側へシート保持手段を取付ける取付アタッチメント手段とを備えて、前記補強シートのシート端部をシート被固定端側に接続するジオシンセティックス接続治具であって、前記シート保持手段が、前記補強シートのシート端部に対面する一対の板状部材と該一対の板状部材を相互に挟圧支持する挟持部材と前記一対の板状部材の相互間に挟入したシート端部を抜け止め固定するストッパー部材とで構成されていることにより、前述した課題を解決するものである。
【０００７】
本請求項２に係る発明は、請求項１に記載されたジオシンセティックス接続治具の構成に加えて、前記一対の板状部材が、前記補強シートのシート端部に弾性パッド部材を介して補強シートのシート端部に対面することにより、前述した課題をさらに解決するものである。
【０００８】
本請求項３に係る発明は、請求項１または請求項２に記載されたジオシンセティックス接続治具の構成に加えて、前記一対の板状部材が、前記補強シートのシート端部に向けて拡開してシート端部を受け入れるシート受入側部位と前記補強シートの折返し側に向けて拡開してシート端部を折返すシート折返し部位と前記シート受入側部位とシート折返し部位との間に介在して補強シートのシート端部に対面するシート対面部位と前記取付アタッチメント手段に連結するアッタチメント連結部位とで構成されていることにより、前述した課題をさらに解決するものである。
【０００９】
本請求項４に係る発明は、請求項１乃至請求項３のいずれか１つに記載されたジオシンセティックス接続治具の構成に加えて、前記ストッパー部材が、前記補強シートのシート端部を折返す円弧状シート面を備えていることにより、前述した課題をさらに解決するものである。
【００１０】
本請求項５に係る発明は、請求項４に記載されたジオシンセティックス接続治具の構成に加えて、前記ストッパー部材が、前記円弧状シート面に連続形成して前記板状部材のシート折返し部位にシート端部を押圧するクサビ状押圧面を備えていることにより、前述した課題をさらに解決するものである。
【００１１】
本請求項６に係る発明は、請求項１乃至請求項５のいずれか１つに記載されたジオシンセティックス接続治具の構成に加えて、前記ジオシンセティックスが、長繊維束からなることにより、前述した課題をさらに解決するものである。
【００１２】
本請求項７に係る発明の地山際の盛土補強構造は、請求項１乃至請求項６のいずれ１つに記載のジオシンセティックス接続治具に接続されたジオシンセティックスからなる補強シートが、地山際の傾斜面に造成した盛土の内部に敷設されていることにより、前述した課題をさらに解決するものである。
【００１３】
本請求項８に係る発明の地山際の盛土補強構造は、請求項７に記載された地山際の盛土補強構造の構成に加えて、前記盛土が、前記地山際に複数回の盛土材捲き出し締固めした締固め層を順次積層して構成され、前記補強シートが、前記複数の締固め層の少なくとも一つの内部に敷設されていることにより、前述した課題をさらに解決するものである。
【００１４】
本請求項９に係る発明は、請求項７または請求項８に記載された地山際の盛土補強構造の構成に加えて、前記取付アタッチメント手段が、前記補強シートのシート被固定端側となる地山際の傾斜面に対してアンカーボルトを介して固定されていることにより、前述した課題をさらに解決するものである。
【００１５】
本請求項１０に係る発明は、請求項９に記載された地山際の盛土補強構造の構成に加えて、前記アンカーボルトが、前記傾斜面の奥行き方向及び必要に応じて高さ方向に複数設置され、前記取付アタッチメント手段を固定する被固定対象物が、前記アンカーボルトの頭部に架設される梁部材であるにより、前述した課題をさらに解決するものである。
【発明の効果】
【００１６】
本請求項１に係る発明のジオシンセティックス接続治具によれば、ジオシンセティックスからなる補強シートのシート端部を折返した状態で保持するシート保持手段とこのシート保持手段に連結して補強シートのシート被固定端側へシート保持手段を取付ける取付アタッチメント手段とを備えていることにより、補強シートのシート端部が、シート保持手段で保持されるとともにシート被固定端側の設置環境に応じた取付アタッチメント手段を介して間接的に取り付けられるため、ジオシンセティックスからなる補強シートのシート端部をシート被固定端側に確実に接続することができる。
そして、シート保持手段が、補強シートのシート端部に対面する一対の板状部材とこれらの一対の板状部材を相互に挟圧支持する挟持部材と一対の板状部材の相互間に挟入したシート端部を抜け止め固定するストッパー部材とで構成されていることにより、補強シートのシート端部が、一対の板状部材に挟持部材で挟圧支持され、ストッパー部材が、補強シートのシート端部に生じるシート側引張力で一対の板状部材に挟入して係止されるため、補強シートのシート端部を確実に抜け止めして保持することができる。
【００１７】
本請求項２に係る発明のジオシンセティックス接続治具によれば、請求項１に記載された発明が奏する効果に加えて、一対の板状部材が、補強シートのシート端部に弾性パッド部材を介して補強シートのシート端部に対面することにより、施工時に補強シートのシート端部を一対の板状部材から偏荷重を受けること無く均一に挟圧支持するように弾性パッド部材がクッション機能を発揮するため、補強シートのシート端部に生じがちな過度のシート損傷を防止することができる。
【００１８】
本請求項３に係る発明のジオシンセティックス接続治具によれば、請求項１または請求項２に記載された発明が奏する効果に加えて、一対の板状部材が、補強シートのシート端部に向けて拡開してシート端部を受け入れるシート受入側部位を有していることにより、補強シートのシート端部に向けて拡開しているシート受入側部位が、補強シートのシート端部を受け入れ易くしてシート端部の不用意な接触に起因する応力集中を回避しているため、施工時などのシート受入側部位におけるシート端部のシート破損を防止することができる。
また、一対の板状部材が、補強シートの折返し側に向けて拡開してシート端部を折返すシート折返し部位を有していることにより、シート折返し部位が、補強シートのシート端部を折返すために拡開した充分なスペースを確保してシート端部を折返し易くしているため、施工時などのシート折返し部位におけるシート端部のシート破損を防止することができる。
さらに、一対の板状部材が、取付アタッチメント手段に連結するアッタチメント連結部位を有していることにより、アッタチメント連結部位が、補強シートのシート端部に対面するシート対面部位と離間して配置することが可能となるため、取付アタッチメント手段をアッタチメント連結部位に補強シートのシート端部と干渉させることなく取り付けることができる。
【００１９】
本請求項４に係る発明のジオシンセティックス接続治具によれば、請求項１乃至請求項３のいずれか１つに記載された発明が奏する効果に加えて、ストッパー部材が、補強シートのシート端部を折返す円弧状シート面を備えていることにより、補強シートのシート端部が施工時にストッパー部材の円弧状シート面に沿った均一な屈曲状態となり、屈曲応力が円弧状シート面の全体に応力分散されて、補強シートのシート端部が過度に座屈することなく折り返されるため、補強シートの耐久性を長期に亘って維持することができる。
【００２０】
本請求項５に係る発明のジオシンセティックス接続治具によれば、請求項４に係る発明が奏する効果に加えて、ストッパー部材が、円弧状シート面に連続形成して板状部材のシート折返し部位にシート端部を押圧するクサビ状押圧面を備えていることにより、補強シートのシート端部が施工時にストッパー部材のクサビ状押圧面に沿った均一な押圧状態となり、板状部材のシート折返し部位に対するストッパー部材の押圧力がクサビ状押圧面の全面で生じるため、補強シートのシート端部に対して充分な抜け止め抵抗力を発揮することができる。
【００２１】
本請求項６に係る発明のジオシンセティックス接続治具によれば、請求項１乃至請求項５のいずれか１つに係る発明が奏する効果に加えて、ジオシンセティックスが、長繊維束からなることにより、長繊維束が長手方向のシート引張強度を確実に発揮して、ジオシンセティックス接続治具の構造から長繊維束が剪断による損傷を受け難いため、補強シートの耐久性を長期に亘って維持することができる。
【００２２】
本請求項７に係る発明の地山際の盛土補強構造によれば、請求項１乃至請求項６のいずれ１つに記載のジオシンセティックス接続治具に接続されたジオシンセティックスからなる補強シートが、地山際の傾斜面に造成した盛土の内部に敷設されていることにより、ジオシンセティックスからなる補強シートが、地山際の傾斜面にジオシンセティックス接続治具を介して確実に取り付け固定されるとともに盛土の内部に敷設されているため、地山際の傾斜面に造成した盛土の変形や円弧すべりを抑制することができる。
【００２３】
本請求項８に係る地山際の盛土補強構造によれば、請求項７に係る発明が奏する効果に加え、盛土が、地山際に複数回の盛土材捲き出し締固めした締固め層を順次積層して構成され、補強シートが、複数の締固め層の少なくとも一つの内部に敷設されていることにより、地山際に造成された盛土に施工中あるいは地山からの浸透流・大雨・地震などの変形要因が発生した際に盛土の抵抗が増大するため、盛土の変形や円弧すべりを確実に抑制することができる。
【００２４】
本請求項９に係る地山際の盛土補強構造によれば、請求項７または請求項８に係る発明が奏する効果に加え、取付アタッチメント手段が、補強シートのシート被固定端側となる地山際の傾斜面に対してアンカーボルトを介して固定されていることにより、アンカーボルトが、取付アタッチメント手段を地山際の傾斜面に固定するため、このジオシンセティックス接続治具を介して補強シートを地山際の傾斜面に対して確実に取り付け固定することができる。
【００２５】
本請求項１０に係る地山際の盛土補強構造によれば、請求項９に係る発明が奏する効果に加え、アンカーボルトが、傾斜面の奥行き方向及び必要に応じて高さ方向に複数設置され、取付アタッチメント手段を固定する被固定対象物が、アンカーボルトの頭部に架設される梁部材であることにより、取付アタッチメント手段を地山際の傾斜面に固定する際、アンカーボルトの打設位置が拘束されないため、盛土補強に必要な施工の簡便化や簡素化を図ることができる。
【図面の簡単な説明】
【００２６】
【図１】本発明の第１実施例であるジオシンセティックス接続治具の設置状態を示す斜視図。
【図２】本発明の第１実施例であるジオシンセティックス接続治具を用いてジオシンセティックスを地山際の傾斜面に固定している状態を示す正面図。
【図３】本発明の第１実施例であるジオシンセティックス接続治具を用いてジオシンセティックスを地山際の傾斜面に固定している状態を示す平面図。
【図４】本発明の第１実施例であるジオシンセティックス接続治具を用いてジオシンセティックスを地山際の傾斜面に固定している状態を示す側面図。
【図５】本発明の第１実施例であるジオシンセティックス接続治具とジオシンセティックスとの関係を示す側面図。
【図６】本発明の第１実施例であるジオシンセティックス接続治具の取付アタッチメント手段と地山際の傾斜面に固定されている梁部材との組み付け開始時の状態図。
【図７】本発明の第１実施例であるジオシンセティックス接続治具の取付アタッチメント手段とシート保持手段との組み付け開始時の状態図。
【図８】本発明の第１実施例であるジオシンセティックス接続治具のシート保持手段とジオシンセティックスとの組み付け開始時の状態図。
【図９】本発明の第１実施例であるジオシンセティックス接続治具のシート保持手段とジオシンセティックスとの組み付け途中の状態図。
【図１０】本発明の第１実施例のジオシンセティックス接続治具を用いてジオシンセティックスを地山際の傾斜面に固定されている状態の変形例を示す正面図。
【図１１】本発明の第１実施例のジオシンセティックス接続治具を用いてジオシンセティックスを地山際の傾斜面に固定されている状態の変形例を示す平面図。
【図１２】本発明の第１実施例のジオシンセティックス接続治具を用いてジオシンセティックスを地山際の傾斜面に固定されている状態の変形例を示す側面図。
【図１３】本発明の第２実施例のジオシンセティックス接続治具とジオシンセティックスとの関係を示す側面図。
【発明を実施するための形態】
【００２７】
本発明のジオシンセティックス接続治具は、ジオシンセティックスからなる補強シートのシート端部を折返した状態で保持するシート保持手段とこのシート保持手段に連結して補強シートのシート被固定端側へシート保持手段を取付ける取付アタッチメント手段とを備えて、補強シートのシート端部をシート被固定端側に接続し、シート保持手段が、補強シートのシート端部に対面する一対の板状部材とこの一対の板状部材を相互に挟圧支持する挟持部材と一対の板状部材の相互間に挟入したシート端部を抜け止め固定するストッパー部材とで構成され、補強シートのシート端部が、シート保持手段で保持されるとともにシート被固定端側の設置環境に応じた取付アタッチメント手段を介して間接的に取り付けられとともに一対の板状部材に挟持部材で挟圧支持され、ストッパー部材が、補強シートのシート端部に生じるシート側引張力で一対の板状部材に挟入して係止され、ジオシンセティックスからなる補強シートのシート端部をシート被固定端側に確実に接続するとともに補強シートのシート端部が、一対の板状部材に挟持部材で挟圧支持されるとともに補強シートのシート端部に生じるシート側引張力で一対の板状部材に挟入して係止され、補強シートのシート端部を確実に抜け止め固定して保持するものであれば、その具体的な実施態様は、如何なるものであっても構わない。
【００２８】
本発明のジオシンセティックス接続治具を適用する補強構造の具体的形態については、地山際で軟弱地盤上に造成された盛土、また地山際に造成された盛土であればいかなるものでも構わない。
また、盛土に用いる盛土材料は、現場発生土を改良した盛土材から、粘性土、砂質土、礫質土、岩ずりなどの何れのものであっても構わない。
【実施例１】
【００２９】
以下に、本発明の第１実施例であるジオシンセティックス接続治具について、好適な実施形態を、図１乃至図５に基づいて説明する。
ここで、図１は、本発明の第１実施例であるジオシンセティックス接続治具の設置状態を示す斜視図であり、図２は、本発明の第１実施例であるジオシンセティックス接続治具を用いてジオシンセティックスを地山際の傾斜面に固定している状態を示す正面図であり、図３は、本発明の第１実施例であるジオシンセティックス接続治具を用いてジオシンセティックスを地山際の傾斜面に固定している状態を示す平面図であり、図４は、本発明の第１実施例であるジオシンセティックス接続治具を用いてジオシンセティックスを地山際の傾斜面に固定している状態を示す側面図であり、図５は、本発明の第１実施例であるジオシンセティックス接続治具とジオシンセティックスとの関係を示す側面図である。
【００３０】
本発明の第１実施例であるジオシンセティックス接続治具１００は、図１に示すように、ジオシンセティックス接続治具１００に接続されたジオシンセティックスからなる補強シートＲＳが、地山Ｇにおける地山際の傾斜面Ｇｓに造成した盛土Ｅの内部に敷設されている。
まず、ジオシンセティックス接続治具１００を固定する被固定対象物としての地山Ｇについて、説明する。
地山際の傾斜面Ｇｓには、複数のグランドアンカーＧＡやロックアンカーＲＢが、地山Ｇにある地山際の傾斜面Ｇｓの奥行き方向と必要あれば傾斜方向とのそれぞれに設置されている。
このグランドアンカーＧＡの頭部ＧＡｈやロックアンカーＲＢの頭部ＲＢｈには、梁部材ＢＭが架設されている。
そして、この梁部材ＢＭにジオシンセティックス接続治具１００を固定することによって、補強シートＲＳのシート被固定端側が、地山際の傾斜面Ｇｓに対してグランドアンカーＧＡやロックアンカーＲＢを介して固定されている。
盛土Ｅは、締固め層Ｅｎが、地山際に順次積層して構成されている。
【００３１】
補強シートＲＳは、補強シートＲＳのシート被固定端側となる地山Ｇにおける地山際の傾斜面Ｇｓに造成された盛土Ｅを構成している締固め層Ｅｎ（ｎ＝１，２，３，・・・）の少なくとも一つの内部に敷設されている。
すなわち、補強シートＲＳは、複数の締固め層Ｅｎ（ｎ＝１，２，３，・・・）に敷設されていることもある。
【００３２】
図２乃至図５に示すように、ジオシンセティックス接続治具１００は、ジオシンセティックスからなる補強シートＲＳのシート端部ＲＳｅを折返した状態で保持するシート保持手段１１０とこのシート保持手段１１０に連結して補強シートＲＳのシート被固定端側へシート保持手段１１０を取付ける取付アタッチメント手段１６０とを備えている。
これによって、補強シートＲＳのシート端部ＲＳｅが、シート保持手段１１０で保持されるとともにシート被固定端側の設置環境に応じた取付アタッチメント手段１６０を介して間接的に取り付けられる。
【００３３】
シート保持手段１１０は、補強シートＲＳのシート端部ＲＳｅに対面する一対の板状部材１２０とこの一対の板状部材１２０を相互に挟圧支持する挟持部材１４０と一対の板状部材１２０の相互間に挟入したシート端部ＲＳｅを抜け止め固定するストッパー部材１５０とで構成されている。
これにより、補強シートＲＳのシート端部ＲＳｅが、一対の板状部材１２０を構成する第１板状部材１２０Ａと第２板状部材１２０Ｂとに挟持部材１４０で挟圧支持され、ストッパー部材１５０が、補強シートＲＳのシート端部ＲＳｅに生じるシート側引張力で一対の板状部材１２０に挟入して係止される。
【００３４】
なお、ジオシンセティックスからなる補強シートＲＳは、一例として、複数の縦帯ＲＳｖとこの複数の縦帯ＲＳｖを連結補強する横帯ＲＳｈとを格子状に交絡配置して形成されている。
これにより、ジオシンセティックスの縦帯ＲＳｖが、シート保持手段に保持され、ジオシンセティックスの横帯ＲＳｈが、複数の縦帯ＲＳｖを相互に連結することになる。
そして、ジオシンセティックスからなる補強シートＲＳがシート状の保形性を充分に発揮している。
【００３５】
縦帯ＲＳｖは、高強度ポリエステル長繊維を並列かつ密に引き揃えた高強度ポリエステル長繊維束からなる芯材層とこの芯材層を被覆するポリエチレン樹脂からなる被覆層とで構成されている。
縦帯ＲＳｖの幅は、８０〜９５ｍｍであり、縦帯ＲＳｖの強度は、９〜１３０ｋＮ／本であり、縦帯ＲＳｖのピッチは、１００〜１８０ｍｍである。
これにより、高強度ポリエステル長繊維束が、補強シートＲＳにおける長手方向のシート引張強度を確実に発揮して盛土の不足するすべりに対する抵抗力を補う。
さらに、芯材層の高強度ポリエステル長繊維束と被覆層のポリエチレン樹脂とが耐施工中の損傷に対する安全性を増し、耐候性、耐薬品性、耐寒性、耐熱性、耐腐食性を発揮している。
縦帯ＲＳｖは、表裏面に凹凸加工が施されており、この凹凸加工によって、盛土材料との摩擦係数を増加させている。
【００３６】
一対の板状部材１２０は、補強シートＲＳのシート端部ＲＳｅに弾性パッド部材１３０を介して補強シートＲＳのシート端部ＲＳｅに対面している。
弾性パッド部材１３０は、一対の板状部材１２０を構成する第１板状部材１２０Ａと補強シートＲＳとの間に介在させる第１弾性パッド部材１３０Ａと、第２板状部材１２０Ｂと補強シートＲＳとの間に介在させる第２弾性パッド部材１３０Ｂとの一対から構成されている。
【００３７】
これにより、施工時に補強シートＲＳのシート端部ＲＳｅを一対の板状部材１２０から偏荷重を受けること無く均一に挟圧支持するように弾性パッド部材１３０がクッション機能を発揮する。
なお、弾性パッド部材１３０の材質については、シリコンゴム、スチレンブタジエンゴム（ＳＢＲ）、天然ゴム（ＮＲ）などの硬質ゴム材料であれば、如何なるものであっても構わない。
【００３８】
一対の板状部材１２０は、シート受入側部位１２２、シート対面部位１２４、シート折返し部位１２６、アッタチメント連結部位１２８で構成されている。
一対の板状部材１２０のシート受入側部位１２２は、補強シートＲＳのシート端部ＲＳｅに向けて拡開してシート端部ＲＳｅを受け入れている。
これにより、補強シートＲＳのシート端部ＲＳｅに向けて拡開しているシート受入側部位１２２が、補強シートＲＳのシート端部ＲＳｅを受け入れ易くしてシート端部ＲＳｅの不用意な接触に起因する応力集中を回避している。
【００３９】
シート対面部位１２４は、シート受入側部位１２２とシート折返し部位１２６との間に介在しており、補強シートＲＳのシート端部ＲＳｅに対面する。
なお、表裏面に凹凸加工を施し、この凹凸加工によって、弾性パッド部材１３０に対する摩擦係数を増加させてもよい。
【００４０】
また、一対の板状部材１２０のシート折返し部位１２６では、補強シートＲＳのシート端部ＲＳｅに向けて外向きに拡開して空間を形成し、シート端部ＲＳｅを受け入れている。
これにより、シート折返し部位１２６が、補強シートＲＳのシート端部ＲＳｅを折返すために拡開した充分なスペースを確保してシート端部ＲＳｅを折返し易くしている。
【００４１】
一対の板状部材１２０を構成している第１板状部材１２０Ａの第１シート折返し部位１２６Ａには、外向きに拡開する第１シート折返し部位１２６Ａと端部側に設けられた内向きに湾曲する内向き湾曲端部１２６Ａｅとによって凹状のストッパー設置領域が形成されている。
また、第２板状部材１２０Ｂの第２シート折返し部位１２６Ｂには、外向きに湾曲する外向き湾曲端部１２６Ｂｅが設けられている。
【００４２】
一対の板状部材１２０のアッタチメント連結部位１２８は、シート対面部位１２４に設けられた挟持部材１４０を挿通する通孔を利用している。
【００４３】
ストッパー部材１５０は、円弧状シート面１５２とクサビ状押圧面１５４とを備えている。
ストッパー部材１５０の円弧状シート面１５２は、補強シートＲＳのシート端部ＲＳｅを沿わせて折返し易くしている。
これにより、補強シートＲＳのシート端部ＲＳｅが、施工時にストッパー部材１５０の円弧状シート面１５２に沿った均一な状態となり、補強シートＲＳのシート端部ＲＳｅの折返し時に発生する応力が円弧状シート面１５２の全体に応力分散されて、補強シートＲＳのシート端部ＲＳｅが座屈することなく折り返される。
【００４４】
ストッパー部材１５０のクサビ状押圧面１５４は、円弧状シート面１５２に連続形成して一対の板状部材１２０のシート折返し部位１２６にシート端部ＲＳｅを押圧している。
これにより、補強シートＲＳのシート端部ＲＳｅが施工時にストッパー部材１５０のクサビ状押圧面１５４に沿った均一な押圧状態となり、一対の板状部材１２０のシート折返し部位１２６に対するストッパー部材１５０の押圧力がクサビ状押圧面１５４の全面で生じる。
【００４５】
取付アタッチメント手段１６０は、一対の板状部材１２０を挟圧する挟持部材１４０に連結させている。
これにより、アッタチメント連結部位１２８が、補強シートＲＳのシート端部ＲＳｅに対面するシート対面部位１２４と離間して配置することが可能となる。
【００４６】
次に、本発明の第１実施例であるジオシンセティックス接続治具１００について、一例として、地山Ｇへの接続について、図６乃至図９に基づいて説明する。
地山際の傾斜面Ｇｓには、複数の受圧板ＰＲＰと、隣接する受圧板ＰＲＰの間に反力板ＲＦＰとが設けられた後、受圧板ＰＲＰを介してアンカーボルトＡＢが打込まれる。
これによって、複数のアンカーボルトＡＢが、地山Ｇにある地山際の傾斜面Ｇｓの奥行き方向と必要時には傾斜方向とのそれぞれに設置される。
【００４７】
図６に示すように、隣接するアンカーボルトＡＢの頭部ＡＢｈには、反力板ＲＦＰに沿って梁部材ＢＭを架設する。
ここで、反力板ＲＦＰに梁部材ＢＭ用のアンカーボルトＡＢを設け、このアンカーボルトＡＢの頭部ＡＢｈにも梁部材ＢＭを固定しても良い。
【００４８】
図７に示すように、位置調整部材１７０の第１位置調整部材１７０Ａが、ボルト・ナットからなる取付固定部材１８０の締結によって梁部材ＢＭに取り付けられる。
これによって、ジオシンセティックス接続治具１００の取付アタッチメント手段１６０が、補強シートＲＳのシート被固定端側となる地山際の傾斜面Ｇｓから水平方向に延在するようにアンカーボルトＡＢを介して固定される。
【００４９】
さらに、取付アタッチメント手段１６０は、地山際の傾斜面Ｇｓに固定する際、アンカーボルトＡＢに直接設置していないため、アンカーボルトＡＢの打設位置が拘束されない。
次に、位置調整部材１７０の第２位置調整部材１７０Ｂと板状部材１２０の第１板状部材１２０Ａと弾性パッド部材１３０の第１弾性パッド部材１３０Ａとが、第１位置調整部材１７０Ａを挿通させたボルト・ナットからなる挟持部材１４０のボルト１４２を基準に順次位置決めされながら積み重ねられる。
【００５０】
図８に示すように、更に、補強シートＲＳとストッパー部材１５０とが、第１弾性パッド部材１３０Ａに積み重ねられる。
詳しくは、補強シートＲＳは、縦帯ＲＳｖ間に挟持部材１４０のボルト１４２が位置するように設置される。
また、ストッパー部材１５０は、円弧状シート面１５２を内向き湾曲端部１２６Ａｅの側、クサビ状押圧面１５４を第１シート対面部位１２４Ａの側になる向きで第１シート折返し部位１２６Ａに設置される。
これにより、ストッパー部材１５０は、第１板状部材１２０Ａの外向きに傾斜する第１シート折返し部位１２６Ａに形成された凹状のストッパー設置領域に仮置きされた状態となる。
【００５１】
図９に示すように、補強シートＲＳのシート端部ＲＳｅが、ストッパー部材１５０の円弧状シート面１５２に沿って折り返され、シート端部ＲＳｅを重ねた状態にする。
次に、第２弾性パッド部材１３０Ｂと第２板状部材１２０Ｂとが、折り返されたシート端部ＲＳｅの上方から挟持部材１４０のボルト１４２を基準に順次位置決めされながら積み重ねられる。
そして、挟持部材１４０のボルト１４２に挟持部材１４０のナット１４４を締結する。
【００５２】
図２乃至図９では、ジオシンセティックス接続治具１００を隣接する受圧板ＰＲＰの間に橋設された反力板ＲＦＰに取付けた例を示したが、アンカーボルトＡＢの頭部ＡＢｈに直接取り付ける例を図１０乃至図１２に示す。
図１０乃至図１２に示すように、地山際の傾斜面Ｇｓには、受圧板ＰＲＰを介してアンカーボルトＡＢが打込まれている。
このアンカーボルトＡＢの頭部ＡＢｈには、取付部材ＭＭが直接固定されている。
【００５３】
そして、ジオシンセティックス接続治具１００の取付アタッチメント手段１６０が、梁部材ＢＭに代えてこの取付部材ＭＭに固定されている。
なお、アンカーボルトＡＢの頭部ＡＢｈに取付部材ＭＭを固定する際、ジオシンセティックスからなる補強シートＲＳがジオシンセティックス接続治具１００から延在する方向を調整するため、受圧板ＰＲＰと取付部材ＭＭとの間にスペーサーを介在して取付部材ＭＭに対するジオシンセティックス接続治具１００の取付アタッチメント手段１６０の傾きを調整しても良い。
【００５４】
このようにして得られた本発明の第１実施例であるジオシンセティックス接続治具１００は、ジオシンセティックスからなる補強シートＲＳのシート端部ＲＳｅを折返した状態で保持するシート保持手段１１０とこのシート保持手段１１０に連結して補強シートＲＳのシート被固定端側へシート保持手段１１０を取付ける取付アタッチメント手段１６０とを備えていることにより、ジオシンセティックスからなる補強シートＲＳのシート端部ＲＳｅをシート被固定端側に確実に接続することができる。
そして、シート保持手段１１０が、補強シートＲＳのシート端部ＲＳｅに対面する一対の板状部材１２０とこれらの一対の板状部材１２０を相互に挟圧支持する挟持部材１４０と一対の板状部材１２０の相互間に挟入したシート端部ＲＳｅを抜け止め固定するストッパー部材１５０とで構成されていることにより、補強シートＲＳのシート端部ＲＳｅを確実に抜け止め固定して保持することができる。
【００５５】
特に、ストッパー部材１５０が、補強シートＲＳのシート端部ＲＳｅを折返す円弧状シート面１５２と円弧状シート面１５２に連続形成して板状部材１２０のシート折返し部位１２６にシート端部ＲＳｅを押圧するクサビ状押圧面１５４とを備えていることにより、補強シートＲＳのシート端部ＲＳｅに対して充分な抜け止め抵抗力を発揮し、しかも、補強シートＲＳに対して生じがちな長繊維束が剪断されることによる補強シートＲＳの強度低下・破断が非常に起こりにくくなり、補強シートＲＳの耐久性を長期に亘って維持することができるなど、その効果は甚大である。
【実施例２】
【００５６】
以下に、本発明の第２実施例であるジオシンセティックス接続治具２００について、図１３に基づいて説明する。
本発明の第２実施例であるジオシンセティックス接続治具２００は、前述した第１実施例のジオシンセティックス接続治具１００における取付アタッチメント手段１６０をシート保持手段１１０の板状部材１２０に一体化させ、取付アタッチメント手段１６０の位置調整部材１７０を削減したものであって、基本的なシート保持手段の構造については、第１実施例のジオシンセティックス接続治具１００と共通するので、その共通する事項については、下２桁が共通する２００番台の符号を付すことによりその詳しい説明を省略する。
【００５７】
一対の板状部材２２０は、第１板状部材２２０Ａと第２板状部材２２０Ｂとによって構成されている。
第１板状部材２２０Ａのシート折返し部位２２６Ａの端部には、内向き湾曲端部を設ける代わりに延在平端部２２６Ａｅが設けられている。
この延在平端部２２６Ａｅは、アタッチメント連結部位２２８として機能し、取付アタッチメント手段２６０の取付固定部材２８０によって梁部材ＢＭに固定されている。
また、一対の板状部材２２０を挟圧支持する挟圧部材２４０が、２箇所に設けら、挟圧力を増加させている。
【００５８】
このようにして得られた本発明の第２実施例であるジオシンセティックス接続治具２００は、前述した第１実施例のジオシンセティックス接続治具１００が奏する効果に加えて、取付アタッチメント手段２６０の部品点数を少なくすることによって、ジオシンセティックス接続治具２００の製造コストや組み付け工数を削減することができるなど、その効果は甚大である。
【符号の説明】
【００５９】
１００、２００  ・・・  ジオシンセティックス接続治具
１１０          ・・・  シート保持手段
１２０、２２０  ・・・  板状部材
１２２          ・・・  シート受入側部位
１２４          ・・・  シート対面部位
１２６、２２６  ・・・  シート折返し部位
１２８          ・・・  アタッチメント連結部位
１３０          ・・・  弾性パッド部材
１４０、２４０  ・・・  挟持部材
１５０、２５０  ・・・  ストッパー部材
１５２          ・・・  円弧状シート面
１５４          ・・・  クサビ状押圧面
１６０、２６０  ・・・  取付アッタチメント手段
１７０、        ・・・  位置調整部材
１８０、２８０  ・・・  取付固定部材
Ｇ          ・・・  地山
Ｇａ        ・・・  （地山際の）傾斜面
ＳＧ          ・・・  軟弱地盤
Ｅ          ・・・  盛土
Ｅｎ        ・・・  締固め層（ｎ＝１，２，３，・・・）
ＧＢ          ・・・  グランドアンカー
ＧＢｈ        ・・・  （グランドアンカーの）頭部
ＲＢ          ・・・  ロックボルト
ＲＢｈ        ・・・  （ロックボルトの）頭部
ＡＢ          ・・・  アンカーボルト
ＡＢｈ        ・・・  （アンカーボルトの）頭部
ＰＲＰ          ・・・  受圧板
ＲＦＰ          ・・・  反力版
ＲＳ          ・・・  補強シート
ＲＳｅ        ・・・  （補強シートの）シート端部
ＢＭ          ・・・  梁部材
ＭＭ          ・・・  取付部材
【図１】
2018017079.tif 000003
【図２】
2018017079.tif 000004
【図３】
2018017079.tif 000005
【図４】
2018017079.tif 000006
【図５】
2018017079.tif 000007
【図６】
2018017079.tif 000008
【図７】
2018017079.tif 000009
【図８】
2018017079.tif 000010
【図９】
2018017079.tif 000011
【図１０】
2018017079.tif 000012
【図１１】
2018017079.tif 000013
【図１２】
2018017079.tif 000014
【図１３】
2018017079.tif 000015